(57)【要約】【課題】斎場で夜間行われる通夜で、参会者が会場の位置、順路その他を容易に認識できるよう明るさにムラなく、故人名等の記載が適確で、視認性良好、構造簡易、取扱性容易な表示具を提供する。【解決手段】蛍光管内設のバックライト式光源体の光拡散板に、故人に関連ある景色や花模様をカラー印刷した絵柄を背景として、故人名と通夜日時等必要情報を漢字で白抜き表示した表示パネルを、その上に表示パネル面トリム用紙板を、更にその上に同形の不透明アクリルを順次載置して、光源体の光拡散板に形設した四辺の枠体によって蝶番固定するように構成した斎場用電飾表示具。【選択図】図１
0003125206.tif 000002
【実用新案登録請求の範囲】
【請求項１】
一方端面に光拡散板を取着した薄型直方体であって，該薄型直方体内端部に蛍光管を内設したハウジングによって光源体を構成し，該光源体の光拡散板側に蝶番付き枠体を取着し，該枠体の四辺を夫々辺毎に回動して表示パネルを固定し，脱着する薄型電飾表示具において透明フィルムにカラー印刷した景色や花模様の背景に故人名等必要情報を白抜き漢字で印刷した表示パネルを前記光拡散板に載置し、更に表示パネル面トリム用紙板、及び不透明アクリル板を順次重ねた後に枠体によって固定し、そして背後から表示パネルを照明することを特徴とする斎場用電飾表示具。
【請求項２】
前記表示パネルが、透明フィルムに故人に関連深い景色や花模様をカラー印刷し、これを背景として中央に個人名を故何某儀、添書として通夜日時及び告別式日時を陰影付き漢字で白抜き表示し、故何某儀を大活字、そして添書を順次小活字で表現してなる請求項１記載の斎場用電飾表示具。
【請求項３】
前記表示パネル面トリム用紙板が、矩形中央をより小形の相似矩形でくり抜いた形状を有し、そして外面黒色にしてなる請求項１記載の斎場用電飾表示具。
【請求項４】
前記不透明アクリル板が、厚さ約１ｍｍで、前記表示パネル及び前記表示パネル面トリム用紙板と同形のアクリル板である請求項１記載の斎場用電飾表示具。
【考案の詳細な説明】
【技術分野】
【０００１】  本考案は、斎場用電飾表示具に関するものである
【背景技術】
【０００２】  日本国内の都市においては、住宅事情などから通夜、本葬、告別式などの葬儀は斎場において行われるのが通常である。儀式の本質上、斎場の照明は暗く設計・施工されている。本葬及び告別式は昼間に行われるからよいが、夜間行われる通夜では、屋内は暗いので参会者に出席するべき会場の位置、順路その他必要なる情報を適確に、過不足なく告知して、整斉と式次第を進めなければならない。【０００３】  通常、弔慰されるべき逝去者の姓名と式日時を示す「故何某儀及び通夜・告別式日時」を記載したパネルを会場入り口に掲示して、参会者を案内する。しかし、このパネルでは、広い斎場では複数個の式が行われることが多いこともあり、紛らわしく、間違えられるなどの問題があった。【０００４】  この改善策として、斎場で表示情報をメモリー表示する表示装置を複数設け、入力部、送信データ生成装置及び送信部を備える管理装置が、表示情報の少なくとも一部を送信データとして送信部から送信し、送信データを利用して表示情報を作成して、表示する斎場用表示システムが提案されている。確かに、本システムは案内表示をタイムリーに行い運営効率を高めることはできるが表示パネル自体については言及がない。
【特許文献１】特開２００３−２３０４７９号公報
【０００５】  表示パネルに類似する作用を有する先行技術として、盛花用バスケットに挿脱可能に装着する名札取り付け用照明箱がある。この照明箱は、前縁に開口枠を、後縁内壁に蛍光灯を縦長に配設した縦長の箱体で、名札を開口枠の乳白色の合成樹脂製半透明板に沿って上下スライドさせて挿脱可能とし、蛍光灯の光で透過照明する。名札は縦長形で小面積だから透過光にムラがないが、大面積ではムラは免れ得ない。
【特許文献２】特開平８−１４０８０３号公報
【０００６】  その他、バックライト方式の電飾看板において、透過光のムラをなくし、均一照度化する提案は色々なされているが、何れも構成が複雑で本考案には採用し難い。
【特許文献３】特開平８−１５３４０５号公報
【特許文献４】特開２００３−２９６７３号公報
【特許文献５】特開２００４−１３０７２号公報
【考案の開示】
【考案が解決しようとする課題】
【０００７】  解決しようとする問題点は、斎場において夜間行われる通夜では、屋内は暗いので参会者に出席するべき会場の位置、順路その他必要なる情報を告知する表示具が単調で人の目を引かず、視認性悪く、構造複雑そして取扱性が悪い点にある。【０００８】  本考案の斎場用電飾表示具は、光源体の不透明板上に、花模様をカラー印刷した絵柄に故何某儀等必要情報を漢字で白抜き（色や模様を省いて白色で表現する意味）表示した表示パネルを、枠体によって蝶番固定し、背面から照明することを主要な特徴とする。
【問題を解決するための手段】
【０００９】  請求項１の考案は、一方端面に光拡散板を取着した薄型直方体あって、該薄型直方体内端部に蛍光管を内設したハウジングによって光源体を構成し、該光源体の不透明板側に蝶番付き枠体を取着し、該枠体の四辺を夫々辺毎に回動して表示パネルを固定し、脱着する薄型電飾表示具において、透明フィルムにカラー印刷した景色や花模様の背景に故人名等必要情報を白抜き漢字で印刷した表示パネルを前記不透明板に載置し、更に表示パネル面トリム用紙板、及び不透明アクリル板を順次重ねた後各枠体によって固定し、そして背後から表示パネルを照明する斎場用電飾表示具であることを要旨とする。
【００１０】  請求項２の考案は、前記表示パネルが、透明フィルムに故人に関連深い景色や花模様をカラー印刷し、これを背景として中央に個人名を故何某儀、添書として通夜日時及び告別式日時を陰影付き漢字で白抜き表示し、故何某儀を大活字、そして添書を順次小活字で表現してなる請求項１記載の斎場用電飾表示具であることを要旨とする。
【００１１】  請求項３の考案は、前記表示パネル面トリム用紙板が、矩形中央をより小形の相似矩形でくり抜いた形状を有し、そして外面黒色にしてなる請求項１記載の斎場用電飾表示具であることを要旨とする。
【００１２】  請求項４の考案は、前記不透明アクリル板が、厚さ約１ｍｍで、前記表示パネル及び前記表示パネル面トリム用紙板と同形のアクリル板であることを特徴とする請求項１記載の斎場用電飾表示具であることを要旨とする。
【考案の効果】
【００１３】  請求項１の考案は、葬儀用表示パネルの背景に花模様等を配することは従来常識には反するが、画期的な構成であり、従来なかった優れた着目性と視認性の効用により、参会者を支障なく案内し、葬儀の円滑なる運行の役に立つ。電子技術の発達と普及によりカラー印刷は一般的に行われているから、実現容易で、取扱い良好である。
【００１４】  請求項２の考案は、葬儀用表示パネルの背景として故人に関連深い花模様や花模様等を配すると着目性は上がり、面上の輝度が均一になりムラがなくなる。大きさを変えた白抜き漢字の配置は、表示パネルの輝度を均一化する効果がある。
【００１５】  請求項３の考案は、中抜き四角形状の表示パネル面トリム用紙板は、葬儀用表示パネルの四辺部を押圧して固定し、そして外面黒色としたのは、前記光源体ない内設された蛍光管が外部から視認できない効果がある。
【００１６】  請求項４の考案は、アクリル板が入手し易く、取扱い容易、厚さ約１ｍｍあれば撓むことなく表示パネルの固定に適し、不透明のため光拡散板として表示パネルの輝度を均一にする効果がある。
【考案を実施するための最良の形態】
【００１７】  表示パネルの背景に景色や花の絵柄を配し、文字を白抜きにして明るさのムラを無くし、かつ故何某儀等の漢字記載が明瞭のため着目性と視認性の良好な表示パネル面を実現すると共に、取扱性良好な斎場用電飾表示具を提供する目的を、市販の部品材料で実現した。
【実施例１】
【００１８】  図１は、斎場用電飾表示具（１）の正面図、図２は同底面図、そして図３は表示パネル（２）、表示パネル面トリム用紙板（５）及び不透明アクリル板（６）を、光源体（１２）の光拡散板（図２で、光拡散板面を示すかくれ線は回動軸線（１６）の実線と重なる）に順次重ねて載置する状況を示す説明図である。斎場用電飾表示具（１）の装置本体には、市販の半切り判サイズ（Ａ３）の「ライティングフレーム」、すなわち超簿型（２５ｍｍ）の照光額を用いた。【００１９】  図１には、表示パネル（２）、表示面トリム用紙板（５）、及び不透明アクリル板（６）を順次重ねて、固定装着した状況の斎場用電飾表示具（１）を示した。枠体１１は、矢印で示したように外側直角に回動させて開口し、光源体（１２）の光拡散板面に表示パネル（２）、表示面トリム用紙板（５）及び不透明アクリル板（６）を重ねて載置した上、回動を水平に戻して押圧し、固定する。図１にはその固定状態を示した。【００２０】  作図上の便宜により、図１では丸印で漢字を代替させた。大径のものは大きな活字、小径となるに従い小活字を表現した。同じ理由により、背景は白色とせざるを得ないが、現実には、この図面上白色の背景面に故人と関連深い景色や花模様をカラー転写してある。そして、カラーの景色や花模様の背景の中の丸印の位置に、故人名、通夜・告別式日時を白抜き陰影付き漢字で表示する。表示パネル（２）が半切版の場合、活字の大きさは故人名が直径７０ｍｍ、故人名の前後に付する「故」と「儀」は４０ｍｍ、通夜日時等は３０ｍｍの円に相当する大きさが適当である。【００２１】  図２において、枠体（回動部）（１１）の回動軸線（１６）は、光源体（１２）の光拡散板の上面を示すかくれ線と重なっている。枠体（回動部）（１１）は、回動軸線（１６）回りに矢印のように直角に回動し、表示パネル（２）の固定と脱着を行う。光源体（１２）の横方向端部に蛍光管（１５）が内設されている。光源体（１２）の光拡散板は、端部に置かれた蛍光管（１５）から放射される光を拡散させて、線光源を面光源に変換する。【００２２】  図３には、光源体（１２）の光拡散板面上に先ず表示パネル（２）を、その上に表示面トリム用紙板（５）を、そして不透明アクリル板（６）を順次重ねて載置する状況を示している。表示面トリム用紙板（５）は外面黒色であり、光源体（１２）の端部に内設された蛍光管（１５）を外部から視認できないようにする。不透明アクリル板（６）は厚さが１ｍｍあり撓むことがないので、表示パネル（２）の固定には好都合であり、そして光の拡散により面全体の照度が一様となる。【００２３】  表示パネル（２）に印刷する景色および花模様は、著作権フリーのものを採用して、パンコンに取り込み、画像上に故人名、通夜日時等を入力する。入力内容はその故人名と通夜日時等に限定されないので、再利用が可能である。パソコンに取り込んだ画像上に故人名と通夜日時等を入力した情報をプリンターで印刷して、表示パネル（２）を得る。【００２４】  本斎場用電飾表示具（１）は、市販のイーゼルに架けて使用に供する。斎場入口のほか控え室等に設置する。火葬場付設の斎場では、同じような間取りの部屋が多く並んでおり、間違いや���いので有効である。季節や故人の特徴等を考えた独自の絵を印刷するので、看板としてなお効果的である。イーゼルに架設しての使用の際は、床を這う電源コードにテープ展着して、歩行者の障害物とならないようにする。
【産業上の利用可能性】
【００２５】  不透明アクリル板の需要増による有機合成化学工業、パソコンに故人関連の景色や花模様を取り込んだ画像上に、故人名、通夜日時等を入力して印刷する作業を通じ、電子技術工業の発達に寄与する可能性がある。
【図面の簡単な説明】
【００２６】
【図１】斎場用電飾表示具（１）の正面図である。
【図２】斎場用電飾表示具（１）の底面図である。
【図３】表示パネル（２）、表示パネル面トリム用紙板（５）及び不透明アクリル板（６）を順次重ねる状況を示す斜視図である。
【符号の説明】
【００２７】１    斎場用電飾表示具
２    表示パネル
３    花模様絵柄図示面
４    白抜き漢字表示箇所
５    表示面トリム用紙板
６    不透明アクリル板
１１  枠体（回動部）
１２  光源体
１３  電源コード
１４  枠体（固定部）
１５  蛍光管
１６  回動軸線
【図１】
0003125206.tif 000003
【図２】
0003125206.tif 000004
【図３】
0003125206.tif 000005